(57)【要約】【課題】タモの柄８１を確実に保持すると共に、容易にタモの柄８１が挿抜され得るタモホルダの提供。【解決手段】このタモホルダ６５は、鮎釣用ベルトに装着され、全体として矩形状を呈する。タモホルダ６５は、ベースシート６６と、弾性帯６７と、面ファスナ６８とを備える。ベースシート６６は、クロロプレンゴムからなる。ベースシート６６に弾性帯６７が取り付けられている。弾性帯６７は、コア部材７０と保護シート７１とを有する。保護シート７１は、コア部材７０を包んでベースシート６６に縫い付けられている。ベースシート６６の縁部に、フックテープ７４及びループテープ７５が設けられている。これらにより、タモホルダ６５は、容易に鮎釣用ベルトに着脱される。【選択図】図５
2018078871.tif 000002
【特許請求の範囲】
【請求項１】
耐候性及び伸縮性を有するゴム乃至樹脂からなるベースシートと、
当該ベースシートに設けられた弾性体と、
上記ベースシートが上記弾性体を内側に包むように弾性的に湾曲した状態を保持する保持部材とを備えた釣具ホルダ。
【請求項２】
上記弾性体は、保護シートにより囲繞されている請求項１に記載の釣具ホルダ。
【請求項３】
上記保持部材は、
上記弾性体を基準とする上記ベースシートの両縁部に配置された面ファスナである請求項１又は２に記載の釣具ホルダ。
【請求項４】
上記弾性体は、所定の幅寸法に設定された帯状に形成され、
上記保護シートは、上記弾性体を覆って当該弾性体の周囲を縁取るように上記ベースシートに縫い付けられている請求項２又は３に記載の釣具ホルダ。
【請求項５】
上記ベースシートは、クロロプレンゴムからなる矩形シートであり、
上記弾性体は、上記矩形シートの長手方向に沿って配置され、ウレタンからなる肉厚寸法が３ｍｍ〜８ｍｍの細長弾性テープであり、
上記保護シートは、滑り止め効果を発揮するポリウレタンからなる請求項２から４のいずれかに記載の釣具ホルダ。
【発明の詳細な説明】
【技術分野】
【０００１】
この発明は、釣りのジャンルに応じて釣人が実釣において使用する釣具、たとえば鮎釣りに使用されるタモの柄を保持する釣具ホルダの構造に関するものである。
【背景技術】
【０００２】
友釣り（鮎釣りの一種）では、釣人は、川中に進入し、釣竿を用いて囮鮎を所望のポイントへ誘導し、囮鮎に対してターゲットとなる鮎のアタックを促す。ターゲットが囮鮎にアタックすれば、仕掛けに付設された掛け針にターゲットが引っ掛かり、釣人は、釣竿を操作して囮鮎と共にターゲットを水中から引き抜く。このとき、掛かったターゲットは囮鮎と共に釣人側へ飛来するので、釣人は、タモを用いてこれらの魚をキャッチする。
【０００３】
タモは、タモ網がタモの柄の先端に装着された釣具であり、釣人は、タモの柄を把持しタモ網を操作する。ただし、タモは、専ら掛かったターゲット及び囮鮎をキャッチするときに使用されるので、それ以外のときには実釣の妨げにならないように収納されていなければならない。そのため、釣人は、鮎釣用ベルトを腰に装着し（たとえば、特許文献１〜特許文献３参照）、この鮎釣用ベルトにタモの柄を差し込む。すなわち、常時において釣人は、タモの柄を鮎釣用ベルトに差し込むことによりタモを保持しておき、掛かったターゲット及び囮鮎をキャッチするときにタモの柄を把持して鮎釣用ベルトから抜き出し、タモ網を操作する。釣人は、タモを使用した後は、再び鮎釣用ベルトにタモの柄を差し込む。
【先行技術文献】
【特許文献】
【０００４】
【特許文献１】特開２００３−２３５４０３号公報
【特許文献２】特開２００５−５１１１１号公報
【特許文献３】特開２００８−２０７８１４号公報
【発明の概要】
【発明が解決しようとする課題】
【０００５】
ところで、友釣りがより快適なものとなるためには、釣人は、掛かったターゲット及び囮鮎をキャッチする際に、タモの柄を迅速に鮎釣用ベルトから抜き取ることができ、これらの魚を取り込んだ後に、タモが実釣の妨げにならないように迅速にタモの柄を鮎釣用ベルトに差し込めることを望む。しかも、鮎釣用ベルトにタモの柄が挿入された状態では、確実にタモが保持されなければならないという要請もある。このような事情は、タモに限らず、実釣で使用されるライトやランディンググリップその他の釣具でも同様である。
【０００６】
本発明は、かかる背景のもとになされたものであり、釣人が身に付けることによって、タモの柄その他の釣具が容易に着脱され、、しかも当該釣具が確実に保持される釣具ホルダを提供することである。
【課題を解決するための手段】
【０００７】
(1) 本発明に係る釣具ホルダは、耐候性及び伸縮性を有するゴム乃至樹脂からなるベースシートと、当該ベースシートに設けられた弾性体と、上記ベースシートが上記弾性体を内側に包むように弾性的に湾曲した状態を保持する保持部材とを備えている。
【０００８】
上記ベースシートは、伸縮性を有するため対象物に対して容易に巻き付くことができる。対象物とは、典型的には鮎釣の際に釣人が腰に装着する鮎釣用ベルトである。もっとも、この対象物としては、ライフジャケットに設けられているベルトであってもよいし、釣人が使用する衣服用ベルト等であってもよい。鮎釣用ベルトは、屋外で使用されるものであるが、上記ベースシートが耐候性を有することから、特に問題は生じない。
【０００９】
ベースシートに上記弾性体が設けられているから、当該弾性体が上記ベースシートから膨出した状態（すなわち、外側に膨らんだ状態）となる。このベースシートは、上記弾性体を内側に包むようにして弾性変形しつつ鮎釣用ベルト等に巻き付けられ、これにより、釣具ホルダが鮎釣用ベルト等の対象物に装着される。すなわち、当該対象物（鮎釣用ベルト等）と釣人の身体との間に、上記膨出した弾性体が配置されることになる。この弾性体は、上記保護部材によって上記ベースシートに確実に位置決め保持されている。
【００１０】
たとえば鮎釣りの実釣において釣人は、タモの柄を把持し上記鮎釣用ベルトに巻き付けられた釣具ホルダと身体との間にタモの柄を挿抜する。上記弾性体が膨出していることから、釣人の身体と上記ベースシートとの間に楔状、台形状、矩形状等の隙間が生じる。この隙間は、タモの柄が釣具ホルダと身体との間に差し込まれる際に挿入を案内する。タモの柄が釣具ホルダと身体との間に差し込まれれば、上記膨出した弾性体が弾性変形し、その緊迫力によって当該タモの柄の滑り止め効果が発揮され、当該タモの柄が確実に保持される。しかも、上記隙間が生じていることから、釣具ホルダと身体との間からタモの柄を抜き取る作業も容易である。
【００１１】
(2) 上記弾性体は、保護シートにより囲繞されているのが好ましい。
【００１２】
この構成では、上記弾性体が上記ベースシートから容易に脱落することがない。
【００１３】
(3) 上記保持部材は、上記弾性体を基準とする上記ベースシートの両縁部に配置された面ファスナであるのが好ましい。
【００１４】
この構成では、上記ベースシートが対象物に巻き付けられた状態で、簡単に当該状態が維持され、しかも容易に対象物から上記ベースシートが取り外される。つまり、当該釣具ホルダの対象物への着脱が容易である。
【００１５】
(4) 上記弾性体は、所定の幅寸法に設定された帯状に形成され、上記保護シートは、上記弾性体を覆って当該弾性体の周囲を縁取るように上記ベースシートに縫い付けられているのが好ましい。
【００１６】
この構成では、弾性体はベースシートに確実に位置決めされると共に、当該弾性体が直接にベースシートに縫い付けられるものではないため、弾性体の弾性が損なわれることはない。しかも、この弾性体が帯状に形成されているから、上記タモの柄を挿抜する作業がきわめて容易となる。
【００１７】
(5) 上記ベースシートは、クロロプレンゴムからなる矩形シートであり、上記弾性体は、上記矩形シートの長手方向に沿って配置され、ウレタンからなる肉厚寸法が３ｍｍ〜８ｍｍの細長弾性テープであり、上記保護シートは、滑り止め効果を発揮するポリウレタンからなるのが好ましい。
【００１８】
この構成では、ベースシートの表面が滑らかで、タモの柄の挿抜作業がより円滑なものとなる。また、弾性体も軽量で弾性に富む。保護シートが上記材料からなるので、当該釣具ホルダが上記対象物に対して位置ずれを起こすことが防止される。
【発明の効果】
【００１９】
この発明によれば、釣具ホルダが対象物（典型的には鮎釣用ベルト）と協働してタモの柄その他の釣具を確実に保持する。しかも、保持された釣具の挿抜作業も容易である。
【図面の簡単な説明】
【００２０】
【図１】図１は、本発明の一実施形態に係る鮎釣用ベルト１０の外観斜視図である。
【図２】図２は、本発明の一実施形態に係るタモホルダ６５の装着状態を示す図である。
【図３】図３は、本発明の一実施形態に係るタモホルダ６５が展開された状態での正面図である。
【図４】図４は、図３におけるIV−IV断面図である。
【図５】図５は、タモホルダ６５の断面図であり、タモの柄が挿抜される要領が模式的に示されている。
【発明を実施するための形態】
【００２１】
以下、本発明の好ましい実施形態が、適宜図面が参照されつつ説明される。なお、本実施の形態は、本発明に係る釣具ホルダの一態様にすぎず、本発明の要旨を変更しない範囲で実施態様が変更されてもよいことは言うまでもない。
【００２２】
＜鮎釣用ベルト及びタモホルダの構成＞
【００２３】
図１は、本発明の一実施形態に係る鮎釣用ベルト１０の外観斜視図である。
【００２４】
この鮎釣用ベルト１０は、鮎釣（友釣り）の実釣において、釣人が腰に装着するものであり、さまざまな釣具が連結され、装着されるようになっている。鮎釣用ベルト１０は、釣人の腰に巻き付けられるメインベルト１１と、腰当パッド１２と、釣具アタッチメント１３と、タモホルダ６５（特許請求の範囲に記載された「釣具ホルダ」に相当）とを備えている。
【００２５】
メインベルト１１は、幅寸法が３０ｍｍ〜４０ｍｍ、厚さ寸法が２ｍｍ程度であり、釣人の腰に巻き回すために十分な長さを備えている。メインベルト１１は、本実施形態ではポリプロピレン（ＰＰ）からなり、安価であり且つ引張強度も十分である。なお、メインベルト１１の外形寸法は特に限定されるものでなく、材質もＰＰ以外の樹脂が採用されてもよい。メインベルト１１にバックル１４及びＨ管アジャスタ１５が設けられている。バックル１４及びＨ管アジャスタ１５は汎用品である。バックル１４は、雄型１６及び雌型１７を有し、それぞれメインベルト１１の一端部及び他端に設けられている。Ｈ管アジャスタ１５は、メインベルト１１の一端部に取り付けれており、メインベルト１１の一端側部分がＨ管アジャスタ１５に掛け回されている。メインベルト１１の長さは、Ｈ管アジャスタ１５を介して釣人の腰周りのサイズに合わせて調整可能である。バックル１４の雄型１６及び雌型１７が嵌合することにより、釣人の腰に巻かれたメインベルト１１が環状に形成され、釣人の腰に巻き回される。
【００２６】
腰当パッド１２は、メインベルト１１に装着されている。腰当パッド１２の外形形状は、同図が示すように五角形状を呈し、釣人の腰に沿って当接するように成形されている。腰当パッド１２の内部構造は図示されていないが、芯材（典型的にはポリエチレンの板材）と、この芯材を覆う緩衝材と、この緩衝材を囲繞し、外周面を形成する被覆シート（典型的にはポリ塩化ビニル：ＰＶＣ）とを備えている。本実施形態では、腰当パッド１２の見栄えを良くするために、縁部にパイピング処理が施されている。同図が示すように、腰当パッド１２に貫通孔２０が設けられている。メインベルト１１は、この貫通孔２０に挿通されており、これにより、腰当パッド１２は、メインベルト１１に支持されつつ長手方向にスライド自在となっている。
【００２７】
図２は、本実施形態に係るタモホルダ６５の装着状態を示す図である。図３は、このタモホルダ６５が展開された状態での正面図である。
【００２８】
図３が示すように、タモホルダ６５は、矩形状を呈し、ベースシート６６と、弾性帯６７（特許請求の範囲に記載された「弾性体」及び「保護シート」に相当）と、面ファスナ６８（特許請求の範囲に記載された「保持部材」に相当）とを備える。このタモホルダ６５が鮎釣用ベルト１０に装着されることにより、友釣りの実釣において、釣人は、タモの柄を鮎釣用ベルト１０に容易に挿抜することができ、しかも、タモの柄が確実に鮎釣用ベルト１０に保持されるようになっている。
【００２９】
ベースシート６６は、本実施形態ではクロロプレンゴムからなり、同図が示すように外形形状は矩形である。ベースシート６６を構成する材料は、クロロプレンゴムに限定されるものではなく、いわゆる耐候性及び伸縮性を備えたものであれば他のゴムや樹脂であってもよい。ベースシート６６の外形寸法は、長手方向寸法Ａが１８０ｍｍ、短手方向寸法Ｂが１２０ｍｍに設定されている。もっとも、寸法Ａ、Ｂは、特に限定されるものではない。ベースシート６６の四隅が面取加工されており、同図が示すように円弧状に湾曲している。もっとも、この面取加工は省略されてもよい。ベースシート６６の肉厚寸法は、本実施形態では、３ｍｍに設定されている。この肉厚寸法は特に限定されるものではなく、適宜設定され得る。ベースシート６６の外縁部は、被覆テープ６９で覆われている。この被覆テープ６９は、本実施形態ではポリプロピレンからなり、ベースシート６６の外縁部を覆うように縫い付けられている。もっとも、この被覆テープ６９は省略されてもよい。
【００３０】
図４は、図３におけるIV−IV断面図であって、模式的に示されている。
【００３１】
図３及び図４が示すように、ベースシート６６の内側に弾性帯６７が設けられている。この弾性帯６７は、細長帯状を呈し、コア部材７０（特許請求の範囲に記載された「弾性体」に相当）と保護シート７１とを有する。コア部材７０は、ウレタンゴムからなり、肉厚寸法が５ｍｍ、長さ寸法Ｃが１５０ｍｍに設定されている。もっとも、コア部材７０の肉厚寸法は、３ｍｍ〜８ｍｍ、長さ寸法Ｃは適宜設定され得る。保護シート７１は、ポリウレタンからなる。コア部材７０は、保護シート７１によって覆われており、本実施形態では、この保護シート７１がベースシート６６に固着されている。具体的には、保護シート７１がコア部材７０を覆い、その周囲を縁取るように縫い付けられている。
【００３２】
このように、保護シート７１がコア部材７０を覆ってベースシート６６に縫い付けられているので、常時において、コア部材７０がベースシート６６の内側及び外側に膨らんだ状態で滑らかに湾曲して突出する。コア部材７０が膨出することによる作用効果については後述される。また、保護シート７１が上記材質からなるので、いわゆる滑り止め効果が発揮される。保護シート７１が実釣において発揮する効果については後述される。なお、保護シート７１が省略され、コア部材７０が直接にベースシート６６に固着されていてもよい。
【００３３】
図３及び図４が示すように、ベースシート６６の縁部に上記面ファスナ６８が設けられている。具体的には、ベースシート６６の上縁部７２の内側にフックテープ７４が設けられ、下縁部７３の外側にループテープ７５が設けられている。したがって、ベースシート６６が、その内面７６を内側にして弾性帯６７を包むように弾性変形した状態で、上記フックテープ７４とループテープ７５とが重なり合う。これにより、ベースシート６６が弾性帯６７を包んだ状態を維持することができる。
【００３４】
＜タモホルダの使用態様＞
【００３５】
図５は、タモホルダ６５の断面図であり、タモの柄が挿抜される要領が模式的に示されている。
【００３６】
ベースシート６６は、伸縮性を有するから、鮎釣用ベルト１０のメインベルト１１に対して容易に巻き付くことができる（図１及び図２参照）。ベースシート６６に弾性帯６７が設けられていることから、前述のようにコア部材７０がベースシート６６から外方に膨らんだ状態となる。すなわち、図５が示すように、コア部材７０が釣人の身体８０側へ膨らむ。
【００３７】
ベースシート６６は、弾性帯６７を内側に包むようにしてメインベルト１１に巻き付けられる。これにより、タモホルダ６５が鮎釣用ベルト１０に装着され、鮎釣用ベルト１０と釣人の身体との間に弾性帯６７が配置された状態となる。弾性帯６７は、保護シート７１を有し、この保護シート７１がコア部材７０を覆っているので、コア部材７０は、ベースシート６６に対して位置ずれを起こすことなく確実に位置決めされている。
【００３８】
鮎釣りの実釣において釣人は、タモの柄８１を把持し、鮎釣用ベルト１０に巻き付けられたタモホルダ６５と身体との間にタモの柄８１を挿抜する。弾性帯６７のコア部材７０が外側に（釣人の身体８０側に）膨出していることから、釣人の身体と鮎釣用ベルト１０のメインベルト１１との間に、同図が示すような楔状の隙間８２が生じる。この隙間８２は微小ではあるが、タモの柄８１がタモホルダ６５と釣人の身体８０との間に差し込まれる際に、その挿入動作を案内する。タモの柄８１が隙間８２に差し込まれれば、弾性帯６７が弾性変形し、それにより発生する緊迫力によってタモの柄８１が確実に保持される。しかも、隙間８２が生じることにより、釣人は、タモの柄８１をタモホルダ６５と身体８０との間から容易に抜き取ることもできる。なお、上記隙間８２の形状は、楔状に限らず、台形状、矩形状等のタモの柄８１の挿入動作を案内するものになる。
【００３９】
本実施形態では、図４が示すように、コア部材７０が保護シート７１により覆われている。このため、実釣においてタモの柄８１が繰り返し挿抜されたとしても、コア部材７０がベースシート６６から容易に脱落することがない。
【００４０】
面ファスナ６８によって、図１及び図２が示すようにタモホルダ６５の姿勢が維持されている。すなわち、ベースシート６６がメインベルト１１に巻き付けられた状態で、簡単に当該状態が維持されるし、しかも容易にメインベルト１１からベースシート６６が取り外される。つまり、メインベルト１１に対してタモホルダ６５を着脱する作用が容易である。
【００４１】
図３及び図４が示すように、コア部材７０がベースシート６６に確実に位置決めされるが、本実施形態では、コア部材７０が直接にベースシート６６に縫い付けられていない。このため、コア部材７０の弾性が損なわれることはなく、しかも、コア部材７０が帯状に形成されているから、釣人にとってタモの柄８１を挿抜する作用がきわめて容易である。
【００４２】
ベースシート６６は、クロロプレンゴムからなる矩形シートである。コア部材７０は、上記形状のベースシート６６の長手方向に沿って配置される。しかも、コア部材７０は、ウレタンゴムからなり、その肉厚寸法が３ｍｍ〜８ｍｍの細長弾性テープである。保護シート７１は、前述のように滑り止め効果を発揮する。これにより、本実施形態では、ベースシート６６の表面が滑らかで、タモの柄８１の挿抜作業がより円滑なものとなる。また、コア部材７０も軽量で弾性に富み、タモの柄８１がより確実に保持される。保護シート７１が滑り止め効果を発揮することから、タモホルダ６５がメインベルト１１に対して位置ずれを起こすことが防止されるという利点がある。
【符号の説明】
【００４３】
１０・・・鮎釣用ベルト
１１・・・メインベルト
６５・・・タモホルダ
６６・・・ベースシート
６７・・・弾性帯
６８・・・面ファスナ
６９・・・被覆テープ
７０・・・コア部材
７１・・・保護シート
７２・・・状縁部
７３・・・下縁部
７４・・・フックテープ
７５・・・ループテープ
７６・・・内面
８０・・・身体
８１・・・タモの柄
８２・・・隙間
【図１】
2018078871.tif 000003
【図２】
2018078871.tif 000004
【図３】
2018078871.tif 000005
【図４】
2018078871.tif 000006
【図５】
2018078871.tif 000007